(57)【要約】【課題】監視ノードとセンタ装置との接続に有線ＬＡＮを利用することによる監視場所の設置上の問題や、広域に亘る監視場所での運用上の問題を解決することができる映像監視システムを提供する。【解決手段】各監視ノード４０、５０、６０に無線ＬＡＮ装置(Ａ)４４、無線ＬＡＮ装置(Ｂ)４５を設けて無線ＬＡＮによるネットワークを構成するとともに、各監視ノード４０、５０、６０の無線ＬＡＮ装置(Ａ)４４、無線ＬＡＮ装置(Ｂ)４５それぞれにおける通信状況を取得するネットワーク管理装置１５を設ける。これにより、センタ装置１０と各監視ノード４０、５０、６０との間の無線化による設置性の向上が図れるとともに、無線ＬＡＮを導入した場合に避けることができない伝送品質の低下や障害に対する耐性の強化が図れる。【選択図】図１
2008017029.tif 000002
【特許請求の範囲】
【請求項１】
監視対象を撮影するカメラ装置及び無線ＬＡＮ装置を有する監視ノードを複数備えるとともに、複数の監視ノードのうちルータを有する監視ノードとインターネットを介して接続されるセンタ装置を備え、
前記複数の監視ノードは、互いに無線ＬＡＮ装置でネットワークを構成し、それぞれの前記カメラ装置で撮影された画像の前記センタ装置への転送を可能とし、
前記センタ装置は、前記ルータを有する監視ノードの前記カメラ装置で撮影された画像を前記インターネットを介して取得するとともに、前記ルータを有しない全ての監視ノードの前記カメラ装置で撮像された画像については前記ルータを有する監視ノードを経由して取得し、取得した画像を前記インターネットを介して前記インターネットに接続された利用者の端末へ送信する映像監視システム。
【請求項２】
前記センタ装置は、前記複数の監視ノードとのネットワーク接続を管理するネットワーク管理装置を備える請求項１に記載の映像監視システム。
【請求項３】
前記ルータを有する監視ノード以外の残りの全ての監視ノードのうち、少なくとも１つは、周辺の前記監視ノードの無線ＬＡＮ使用状況を収集する無線ＬＡＮモニタ装置を有し、
前記ルータを有する監視ノードは、前記無線ＬＡＮモニタ装置を有する監視ノードで収集された無線ＬＡＮ使用状況を前記センタ装置へ送信する請求項１又は請求項２に記載のい映像監視システム。
【請求項４】
前記ネットワーク管理装置は、前記センタ装置と前記複数の監視ノードそれぞれとの間の通信状況を把握し、必要に応じて前記複数の監視ノードそれぞれの無線ＬＡＮ装置の動作設定を変更する請求項２に記載の映像監視システム。
【請求項５】
前記ネットワーク管理装置は、前記無線ＬＡＮモニタ装置を有する監視ノードからの無線ＬＡＮ使用状況も含めて通信状況を把握し、必要に応じて前記複数の監視ノードそれぞれの無線ＬＡＮ装置の動作設定を変更する請求項４に記載の映像監視システム。
【請求項６】
前記複数の監視ノードは、前記無線ＬＡＮ装置として、利用する周波数帯の異なる複数の無線ＬＡＮ装置を有し、
前記ネットワーク管理装置は、通信状況に応じて前記複数の無線ＬＡＮ装置のうちの最適なものを選択する請求項４又は請求項５に記載の映像監視システム。
【請求項７】
無線ＬＡＮ装置を有し、前記監視ノード間の無線ＬＡＮによるデータ伝送を中継する中継ノードを備える請求項１乃至請求項６のいずれかに記載の映像監視システム。
【発明の詳細な説明】
【技術分野】
【０００１】
本発明は、利用者がパーソナルコンピュータ（以下、パソコンと呼ぶ）や携帯電話等の端末を使用して送った指示に従い、複数の監視ノードに搭載したカメラ装置が撮影した画像を有線ＬＡＮ又は無線ＬＡＮのネットワークを介して利用者端末に配信する映像監視システムに関する。
【背景技術】
【０００２】
図７は、従来の映像監視システムの概略構成を示すブロック図である。同図に示すように、従来の映像監視システムは、複数の箇所に設置されるカメラ装置１００を備えた複数の監視ノード１１０と、インターネットを含む有線ＬＡＮ（Locol Area Network）を介して各監視ノード１１０と接続され、各監視ノード１１０から送られてくるカメラ装置１００の画像を利用者に提供するセンタ装置１２０とから構成されており、利用者は自己のパソコンや携帯電話等の端末をセンタ装置１２０に接続することで各監視ノード１１０のカメラ装置１００を通して画像を得ている（例えば、特許文献１参照）。
【０００３】
【特許文献１】特開２００１−３３９７０８号公報
【発明の開示】
【発明が解決しようとする課題】
【０００４】
しかしながら、従来の映像監視システムにおいては、監視ノード１１０とセンタ装置１２０との間の接続に有線ＬＡＮを利用しているため、有線ＬＡＮの敷設工事が難しい箇所や、有線ＬＡＮでは対応が難しい広域に亘る監視場所では運用できないという問題がある。
【０００５】
本発明は、係る事情に鑑みてなされたものであり、監視ノードとセンタ装置との接続に有線ＬＡＮを利用することによる監視場所の設置上の問題や、広域に亘る監視場所での運用上の問題を解決することができる映像監視システムを提供することを目的とする。
【課題を解決するための手段】
【０００６】
上記目的は下記構成により達成される。
本発明の映像監視システムは、監視対象を撮影するカメラ装置及び無線ＬＡＮ装置を有する監視ノードを複数備えるとともに、複数の監視ノードのうちルータを有する監視ノードとインターネットを介して接続されるセンタ装置を備え、前記複数の監視ノードは、互いに無線ＬＡＮ装置でネットワークを構成し、それぞれの前記カメラ装置で撮影された画像の前記センタ装置への転送を可能とし、前記センタ装置は、前記ルータを有する監視ノードの前記カメラ装置で撮影された画像を前記インターネットを介して取得するとともに、前記ルータを有しない全ての監視ノードの前記カメラ装置で撮像された画像については前記ルータを有する監視ノードを経由して取得し、取得した画像を前記インターネットを介して前記インターネットに接続された利用者の端末へ送信する。
【０００７】
この構成により、各監視ノードに無線ＬＡＮ装置を設けて無線ＬＡＮによるネットワークを構成したので、センタ装置と各監視ノードとの間の無線化による設置性の向上が図れる。
【０００８】
本発明の映像監視システムは、前記センタ装置は、前記複数の監視ノードとのネットワーク接続を管理するネットワーク管理装置を備える。
【０００９】
この構成により、各監視ノードの無線ＬＡＮ装置における通信状況を取得するネットワーク管理装置を備えるので、無線ＬＡＮを導入した場合に避けることができない伝送品質の低下や障害に対する耐性の強化が図れる。
【００１０】
本発明の映像監視システムは、前記ルータを有する監視ノード以外の残りの全ての監視ノードのうち、少なくとも１つは、周辺の前記監視ノードの無線ＬＡＮ使用状況を収集する無線ＬＡＮモニタ装置を有し、前記ルータを有する監視ノードは、前記無線ＬＡＮモニタ装置を有する監視ノードで収集された無線ＬＡＮ使用状況を前記センタ装置へ送信する。
【００１１】
この構成により、ルータを有する監視ノード以外の残りの全ての監視ノードのうち、少なくとも１つに周辺の監視ノードの無線ＬＡＮ使用状況を収集する無線ＬＡＮモニタ装置を設けたので、無線ＬＡＮチャンネルを変更する際に最も好ましい選択ができるとともに、一時的な障害か変更を要する障害かを判断でき、不必要な無線ＬＡＮの切り替えを抑制することができる。
【００１２】
本発明の映像監視システムは、前記ネットワーク管理装置は、前記センタ装置と前記複数の監視ノードそれぞれとの間の通信状況を把握し、必要に応じて前記複数の監視ノードそれぞれの無線ＬＡＮ装置の動作設定を変更する。
【００１３】
この構成により、ネットワーク管理装置が、センタ装置と複数の監視ノードそれぞれとの間の通信状況に応じて各監視ノードの無線ＬＡＮ装置の動作設定を変更するので、伝送品質の低下や障害に対する耐性の強化が図れる。
【００１４】
本発明の映像監視システムは、前記ネットワーク管理装置は、前記無線ＬＡＮモニタ装置を有する監視ノードからの無線ＬＡＮ使用状況も含めて通信状況を把握し、必要に応じて前記複数の監視ノードそれぞれの無線ＬＡＮ装置の動作設定を変更する。
【００１５】
この構成により、ネットワーク管理装置が、無線ＬＡＮモニタ装置を有する監視ノードからの無線ＬＡＮ使用状況も含めた通信状況に応じて各監視ノードの無線ＬＡＮ装置の動作設定を変更するので、更に伝送品質の低下や障害に対する耐性の強化が図れる。
【００１６】
本発明の映像監視システムは、前記複数の監視ノードは、前記無線ＬＡＮ装置として、利用する周波数帯の異なる複数の無線ＬＡＮ装置を有し、前記ネットワーク管理装置は、通信状況に応じて前記複数の無線ＬＡＮ装置のうちの最適なものを選択する。
【００１７】
この構成により、利用する周波数帯の異なる複数の無線ＬＡＮ装置を有し、通信状況に応じて複数の無線ＬＡＮ装置のうちの最適なものを選択するので、複数の無線ＬＡＮ装置が同時に障害を受ける確率を減らし、かつ通年に亘り又は昼夜で変化する通信状況に合わせて最適な無線ＬＡＮ装置を使用することができる。
【００１８】
本発明の映像監視システムは、無線ＬＡＮ装置を有し、前記監視ノード間の無線ＬＡＮによるデータ伝送を中継する中継ノードを備える。
【００１９】
この構成により、中継ノードによる遠隔地の監視場所へのネットワーク構築が可能となり、広域に亘って監視ノードを設置し、利用することが可能となる。
【発明の効果】
【００２０】
本発明によれば、各監視ノードに無線ＬＡＮ装置を設けて無線ＬＡＮによるネットワークを構成したので、センタ装置と各監視ノードとの間の無線化による設置性の向上が図れる。
【発明を実施するための最良の形態】
【００２１】
以下、本発明を実施するための好適な実施の形態について、図面を参照して詳細に説明する。
【００２２】
（実施の形態１）
図１は、本発明の実施の形態１に係る映像監視システムの概略構成を示すブロック図である。同図において、本実施の形態の映像監視システムは、センタ装置１０と、パソコン２１や携帯電話２２等の端末２０と、インターネット３０を介してセンタ装置１０及び端末２０と有線接続される監視ノード４０と、監視ノード４０と無線接続され、無線ＬＡＮモニタ機能を有する監視ノード５０と、監視ノード４０と無線接続され、無線ＬＡＮモニタ機能を有しない複数の監視ノード６０とを備えている。
【００２３】
センタ装置１０は、ルータ１１と、ＨＵＢ（ハブ）１２と、ＷＥＢ（World Wide Web）サーバ１３と、データサーバ１４と、ネットワーク管理装置１５とを備えている。ルータ１１は、センタ装置１０をインターネット３０に接続する。ＨＵＢ１２は、ルータ１１にＷＥＢサーバ１３とデータサーバ１４とネットワーク管理装置１５を接続する。ＷＥＢサーバ１３は、パソコン２１や携帯電話２２等の端末２０に設けられたＷＥＢブラウザなどのクライアントソフトウェアからの要求に応じて、該端末２０にインターネット３０を通じてＨＴＭＬ（HyperText Markup Language）文書や画像などの情報を送信する。データサーバ１４は、パソコン２１や携帯電話２２等の端末２０の利用者７０の登録情報や過去の画像データや本映像監視システムの運用状況を蓄積する。
【００２４】
ネットワーク管理装置１５は、本実施の形態の映像監視システムにおけるネットワーク状況を管理するものであり、各監視ノード４０、５０、６０の無線ＬＡＮ装置(Ａ)４４と無線ＬＡＮ装置(Ｂ)４５のそれぞれについて、通信状況（使用チャンネル、無線変調方式、最大接続速度、最大再送回数、送信電力、受信感度、パケット損失率、データエラー率など）を定期的に取得し、最新の通信状況と過去の通信状況と、各監視ノード４０、５０、６０の２つの無線ＬＡＮ装置(Ａ)４４と無線ＬＡＮ装置(Ｂ)４５のうちどちらを使用しているのかを通信状況として蓄積する。また、監視ノード５０の無線ＬＡＮモニタ装置５１によって、定期的に周辺の無線ＬＡＮの使用状況を収集し、各無線ＬＡＮ装置(Ａ)４４のチャンネル毎及び各無線ＬＡＮ装置(Ｂ)４５のチャンネル毎の受信レベルを把握し蓄積する。因みに、各監視ノード４０、５０、６０に対する疎通確認は、ＰＩＮＧ（Packet Internet Groper）を送信することで実現可能である。
【００２５】
ここで、通信状況が例えばパケット損失率が１０％を超えた場合、ネットワーク管理装置１０６は、通信状況が不良と判定して適切な設定へと変更する。例えば「送信電力を上げる」、「最大再送回数を増やす」、「最大接続速度を下げる」、「無線変調方式を変更する」、「使用チャンネルを変更する」、「無線ＬＡＮ装置を切り替える」など、予め指定した通信状況になるように設定変更を行う。
【００２６】
また、無線ＬＡＮ装置(Ａ)４４と無線ＬＡＮ装置(Ｂ)４５それぞれが利用する周波数帯を異ならせることで、例えば一方の無線ＬＡＮを２．４ＧＨｚ帯によるアドホックネットワーク回線、他方の無線ＬＡＮを４．９ＧＨｚ帯を利用したピア・ツー・ピアなネットワークブリッジ回線とすることで、周波数帯によるものと、無線ＬＡＮ装置のネットワーク構成による違いから特性の異なる無線ＬＡＮを利用できることとなり、２つ同時に障害を受ける確率を減らすことができる。更に、通年に亘り、又は昼夜で変化する通信状況に合わせて無線ＬＡＮ装置(Ａ)４４、無線ＬＡＮ装置(Ｂ)４５を選択することができる。
【００２７】
また、受信レベルが一定レベルでもパケット損失率が高くなかった場合は、一時的な障害物による伝播障害でありチャンネル変更は必要ないが、近接無線ＬＡＮチャンネルに過去にない高レベルの無線局を確認できた場合は無線ＬＡＮチャンネル変更が必要となる。
【００２８】
端末２０であるパソコン２１や携帯電話２２には、上述したＷＥＢブラウザなどのクライアントソフトウェアを有し、このクライアントソフトを用いてセンタ装置１０のＷＥＢサーバ１３にアクセスして各監視ノード４０、５０、６０のカメラ装置４３で撮影された画像を取得する。特に、センタ装置１０にＷＥＢサーバ１３にアクセスする際には、データサーバ１４に格納されている登録情報を基に認証が行われる。この認証により正当な利用であれば、各監視ノード４０、５０、６０のカメラサーバ４２へのアクセスが許可され、ＷＥＢサーバ１３経由でカメラサーバ４２に接続され、カメラ装置４３を自由に制御することが可能となる。この場合、１つの監視ノード４０、５０又は６０のカメラ装置４３の操作は同時に１人のみとなるので、カメラサーバ４２にて制御権の制御が行われる。制御権はカメラ制御を行う際に取得でき、制御終了後に返却することになり、制御権を返却するまでの間は、他の利用者７０はカメラ制御を行うことはできない。制御権を返却した後、端末２０のクライアントソフトでログアウトを行うことで、端末２０とセンタ装置１０との間の接続が切断される。
【００２９】
監視ノード４０は、ルータ４１と、カメラサーバ４２と、カメラ装置４３と、無線ＬＡＮ装置(Ａ)４４と、無線ＬＡＮ装置(Ｂ)４５とを備えている。ルータ４１は、監視ノード４０をインターネット３０に接続する。カメラサーバ４２は、センタ装置１０のＷＥＢサーバ１４経由で接続される端末２０に対して制御権を付与する制御を行い、制御権の付与後、該端末２０からの指示に従ってカメラ装置４３の画角（ズームも含む）調整を行うとともに、カメラ装置４３で撮影された画像を取り込んでセンタ装置１０のＷＥＢサーバ１４経由で端末２０へ送信する。また、カメラサーバ４２は、無線ＬＡＮ装置(Ａ)４４、無線ＬＡＮ装置(Ｂ)４５それぞれの通信状況を監視する。ここで、監視する通信状況としては、使用チャンネル、無線変調方式、最大接続速度、最大再送回数、送信電力、受信感度、パケット損失率、データエラー率などである。
【００３０】
カメラ装置４３は、ＣＣＤ（Charge Coupled Device）やＣＭＯＳ（Complementary Metal Oxide Semiconductor）等の撮像素子を有し、撮像して得られた画像を符号化した画像データを出力する。無線ＬＡＮ装置(Ａ)４４は、他の監視ノード５０、６０の無線ＬＡＮ装置(Ａ)４４と無線ＬＡＮを形成し、データの授受を行う。無線ＬＡＮ装置(Ｂ)４５は、他の監視ノード５０、６０の無線ＬＡＮ装置(Ｂ)４５と無線ＬＡＮを形成し、データの授受を行う。
【００３１】
監視ノード５０は、カメラサーバ４２と、カメラ装置４３と、無線ＬＡＮモニタ装置５１と、無線ＬＡＮ装置(Ａ)４４と、無線ＬＡＮ装置(Ｂ)４５とを備えており、無線ＬＡＮモニタ装置５１を除く他の部分は監視ノード４０と略同様である。無線ＬＡＮモニタ装置５１は定期的に周辺の無線ＬＡＮの使用状況を収集し、各無線ＬＡＮ装置(Ａ)４４のチャンネル及び各無線ＬＡＮ装置(Ｂ)４５のチャンネル毎に受信レベルをモニタする。モニタした各チャンネルの受信レベルはセンタ装置１０のネットワーク管理装置１５によって収集される。監視ノード６０は、無線ＬＡＮモニタ装置５１を備えていない以外、監視ノード５０と同様の構成となっている。
【００３２】
以上のように構成された映像監視システムについて、図２〜図５を用いてその動作を説明する。まず図２を用いて本実施の形態の映像監視システムの基本的な動作を説明する。同図は基本動作を示すフロー図である。まず利用者７０がログインすると（ステップＳ１０）、ＷＥＢサーバ１３がデータサーバ１４の利用者情報を参照して該利用者７０の認証を行う（ステップＳ１１）。即ち、利用者７０が端末２０を使用してインターネット３０経由でセンタ装置１０のＷＥＢサーバ１３にアクセスすると、ＷＥＢサーバ１３はログインする利用者７０が正当な利用者かどうかを認証する。この際、データサーバ１４に登録されている利用者情報を参照してログインする利用者７０を確認する。そして、利用者７０に問題がなければ各監視ノード４０、５０、６０のカメラサーバ４２へのアクセスを許可し、端末２０をインターネット３０経由でカメラサーバ４２に接続する（ステップＳ１２）。ここで、監視ノード４０のカメラサーバ(１)４２に接続するものとする。
【００３３】
監視ノード４０のカメラサーバ(１)４２は、端末２０と接続した後、端末２０からカメラ制御要求があると（ステップＳ１３）、他に利用者がいるかどうか判定し（ステップＳ１４）、他に利用者がいなければ、利用者７０の端末２０にカメラ制御権を付与する。これに対して、他に利用者がいればステップＳ１３に戻る。端末２０にカメラ制御権が付与されると、カメラサーバ(１)４２を介してカメラ装置４３の画角（ズームを含む）の制御が可能となり、またカメラ装置４３で撮影された画像を取得できる（ステップＳ１５）。利用者７０は、端末２０を操作してカメラ装置４３の画角を調整するとともに、カメラ装置４３で撮影された画像（例えば、自分の子供７１を撮影した画像）を取得する。利用者７０が目的とする画像を取得した後、端末２０を操作してカメラ制御権を開放する（ステップＳ１６）。そして、ログアウトかどうか判定し（ステップＳ１７）、ログアウトでなければステップＳ１３に戻り、ログアウトであれば（ステップＳ１８）、センタ装置１０のＷＥＢサーバ１３は、端末２０との間の接続を切断する。以上の動作は監視ノード４０に対してであったが、監視ノード５０，６０でも同様である。
【００３４】
次に、図３〜図５を用いてセンタ装置１０のネットワーク管理装置１５の動作を説明する。図３はネットワーク管理装置１５の動作を示すフロー図である。同図において、まず各監視ノード４０、５０、６０の無線ＬＡＮ装置(Ａ)４４と無線ＬＡＮ装置(Ｂ)４５のそれぞれについての通信状況（使用チャンネル、無線変調方式、最大接続速度、最大再送回数、送信電力、受信感度、パケット損失率、データエラー率など）を定期的な時間をおいて（例えば、１分毎に）取得し（ステップＳ２０）、最新の通信状況と過去の通信状況と、各監視ノード４０、５０、６０にある複数の無線ＬＡＮ装置のうちどちらを利用しているのかを通信状況として蓄積する（ステップＳ２１）。また、監視モニタ５０の無線ＬＡＮモニタ装置５１でも定期的に周辺の無線ＬＡＮ使用状況を収集し、例えば図４のような各無線ＬＡＮ装置(Ａ)４４のチャンネルと各無線ＬＡＮ装置(Ｂ)４５のチャンネル毎の受信レベルを把握、蓄積しておく。
【００３５】
各拠点の通信状況を取得し蓄積した後、通信状況を判定し（ステップＳ２２）、異常がなければ（即ち、ＯＫであれば）、ステップＳ２０に戻り、異常があれば（即ち、ＮＧであれば）、無線ＬＡＮ設定を変更する処理を行う（ステップＳ２３）。そして、無線ＬＡＮ切り替え変更処理を行い（ステップＳ２４）、次いで回線変更があるかどうか判定する（ステップＳ２５）。回線変更がない場合はステップＳ２０に戻り、回線変更がある場合は回線切り替え処理を行う（ステップＳ２６）。
【００３６】
ここで、通信状況が、例えばパケット損失率が１０％を超えたときに通信状況ＮＧとネットワーク管理装置１５が判定した場合、例えば「送信電力を上げる」、「最大再送回数を増やす」、「最大接続速度を下げる」、「無線変調方式を変更する」、「使用チャンネルを変更する」、「無線ＬＡＮ装置を切り替える」など、適切な設定へと変更する。また、２つある無線ＬＡＮ装置(Ａ)４４と無線ＬＡＮ装置(Ｂ)４５を、利用する周波数帯を異なるものに選択することで、例えば一方の無線ＬＡＮを２．４ＧＨｚ帯によるアドホックネットワーク回線、他方を４．９ＧＨｚ帯を利用したピア・ツー・ピアなネットワークブリッジ回線とすることで、周波数帯によるものと、無線ＬＡＮ装置のネットワーク構成による違いから特性の異なる無線ＬＡＮを利用できることとなり、２つ同時に障害を受ける確率を減らしかつ通年に亘り、又は昼夜で変化する通信状況に合わせていずれか一方の無線ＬＡＮ装置(Ａ)４４又は無線ＬＡＮ装置(Ｂ)４５を選択することができる。
【００３７】
受信レベルが一定レベルあり、パケット損失率が高くなった場合は一時的な障害物による伝播障害でありチャンネル変更は必要ないが、近接無線ＬＡＮチャンネルに過去にない高レベルの無線局が確認できた場合は無線ＬＡＮチャンネル変更が必要となる。変更を行うにあたって、図４の現状の各無線ＬＡＮチャンネル状態から該当チャンネルとひとつ上下の３チャンネルの平均受信レベルを計算し、図５の折れ線グラフのような平均受信レベルをもとに最も低いチャンネルを選択するのが好ましい。
【００３８】
このように本実施の形態の映像監視システムによれば、各監視ノード４０、５０、６０に無線ＬＡＮ装置(Ａ)４４、無線ＬＡＮ装置(Ｂ)４５を設けて無線ＬＡＮによるネットワークを構成するとともに、各監視ノード４０、５０、６０の無線ＬＡＮ装置(Ａ)４４、無線ＬＡＮ装置(Ｂ)４５それぞれにおける通信状況を取得するネットワーク管理装置１５を備えるので、センタ装置１０と各監視ノード４０、５０、６０との間の無線化による設置性の向上が図れるとともに、無線ＬＡＮを導入した場合に避けることができない伝送品質の低下や障害に対する耐性の強化が図れる。また、監視ノード５０に無線ＬＡＮモニタ装置５１を備えるので、無線ＬＡＮチャンネルを変更する際に最も好ましい選択ができるとともに、一時的な障害か変更を要する障害かを判断でき、不必要な無線ＬＡＮの切り替えを抑制することができる。
【００３９】
なお、以上の説明では、図５の折れ線グラフを該当チャンネルとひとつ上下の３チャンネルの平均値で構成した例について説明したが、その他の計算方法、例えば合算値についても同様に実施可能である。
【００４０】
（実施の形態２）
図６は、本発明の実施の形態２に係る映像監視システムの概略構成を示すブロック図である。同図において、本実施の形態の映像監視システムは、実施の形態１の映像監視システムと同様の構成に、無線ＬＡＮ装置(Ａ)８１と無線ＬＡＮ装置(Ｂ)８１を備えた中継ノード８０を追加したものである。なお、無線ＬＡＮ装置(Ａ)８１、無線ＬＡＮ装置(Ｂ)８２は、実施の形態１の無線ＬＡＮ装置(Ａ)４４、無線ＬＡＮ装置(Ｂ)４５と同様のものである。
【００４１】
中継ノード８０を備えることにより、監視ノード間（例えば、監視ノード４０と監視ノード５０の間、監視ノード４０と監視ノード６０の間）の距離が無線ＬＡＮ装置(Ａ)４４と無線ＬＡＮ装置(Ｂ)４５の通信限界距離を超える場合であっても監視ノードとして機能するとともに、無線ＬＡＮモニタ装置５１により一時的な障害か変更を要する障害かを判断することができ、また、一方の無線ＬＡＮ装置(Ａ)４４による例えば２．４ＧＨｚ帯によるアドホックネットワークによる経路の自由度が上がることにより、各監視ノード４０、５０、６０と中継ノード８０を含めた無線ＬＡＮ構成としてネットワーク管理装置１５によって最も好ましい無線ＬＡＮ構成を選択することができる。
【００４２】
なお、一方の無線ＬＡＮを２．４ＧＨｚ帯によるアドホックネットワークで構成した例について説明したが、その他の無線周波数帯による無線ＬＡＮ手段でも同様に実施可能である。
【産業上の利用可能性】
【００４３】
本発明は、監視ノードとセンタ装置との接続に有線ＬＡＮを利用することによる監視場所の設置上の問題や、広域に亘る監視場所での運用上の問題を解決することができるといった効果を有し、携帯電話やパソコン等の端末からの指示に従ってカメラ装置が撮影した画像を該端末に配信する映像監視システムなどへの適用が可能である。
【図面の簡単な説明】
【００４４】
【図１】本発明の実施の形態１に係る映像監視システムの概略構成を示すブロック図
【図２】本発明の実施の形態１に係る映像監視システムの動作説明のためのフロー図
【図３】本発明の実施の形態１に係る映像監視システムの動作説明のためのフロー図
【図４】本発明の実施の形態１に係る映像監視システムの動作説明のための図
【図５】本発明の実施の形態１に係る映像監視システムの動作説明のための図
【図６】本発明の実施の形態２に係る映像監視システムの概略構成を示すブロック図
【図７】従来の映像監視システムの概略構成を示すブロック図
【符号の説明】
【００４５】
１０  監視センタ
１１、４１  ルータ
１２  ＨＵＢ
１３  ＷＥＢサーバ
１４  データサーバ
１５  ネットワーク管理装置
２０  端末
２１  パソコン
２２  携帯電話
３０  インターネット
４０、５０、６０  監視ノード
４２  カメラサーバ
４３  カメラ装置
４４、８１  無線ＬＡＮ装置(Ａ)
４５、８２  無線ＬＡＮ装置(Ｂ)
５１  無線ＬＡＮモニタ装置
７０  利用者
７１  子供
８０  中継ノード
【図１】
2008017029.tif 000003
【図２】
2008017029.tif 000004
【図３】
2008017029.tif 000005
【図４】
2008017029.tif 000006
【図５】
2008017029.tif 000007
【図６】
2008017029.tif 000008
【図７】
2008017029.tif 000009